(57)【要約】      （修正有）【課題】チップの固定性や強度が高く切削性能の良い、チップ着脱交換式チップソーを提供する。【解決手段】鋸板１に形成された歯部２に鋸板の背側に向う受け溝１１を形成し、該受け溝に切削刃となるチップ８を圧入嵌合して着脱可能に固定する。チップのすくい面３には差込端側が開放され刃先４に至らない途中で刃先側のすくい面を残して閉じられる差込溝８ａを形成し、受け溝の下刃側より刃先方向に突出しチップ圧入時に差込溝内に嵌合する突起部１２を形成し、該突起部の先端をすくい面から突出しない厚み又は形状とするとともに、該先端から隣接歯部間の歯底面７に至る表面が側面視ですくい面に沿った直線状の面１２ｂと、該直線状の面及び歯底面に連続する滑らかな傾斜面１２ａとからなり、切削時の切屑を排出案内する案内面となる。チップの背面にもチップ圧入時に受け溝の上刃６側の鋸板を嵌合して収容する差込溝８ｂを形成する。【選択図】図１
2015217475.tif 000002
【特許請求の範囲】
【請求項１】
鋸板（１）に形成された歯部（２）に鋸板（１）の背側に向う受け溝（１１）を形成し、該受け溝（１１）に切削刃となるチップ（８）を圧入嵌合して着脱可能に固定したチップソーにおいて、上記チップ（８）のすくい面（３）には差込端側が開放され刃先（４）に至らない途中で刃先（４）側のすくい面（３）を残して閉じられる差込溝（８ａ）を形成し、上記受け溝（１１）の下刃側より刃先（４）方向に突出しチップ圧入時に上記差込溝（８ａ）内に嵌合する突起部（１２）を形成し、上記突起部（１２）の先端をすくい面（３）から突出しない厚み又は形状とするとともに、該先端から隣接歯部（２）間の歯底面（７）に至る表面が側面視ですくい面（３）に沿った直線状の面（１２ｂ）と、該直線状の面（１２ｂ）及び歯底面（７）に連続する滑らかな傾斜面（１２ａ）とからなり、切削時の切屑を排出案内する案内面となるチップソー。
【請求項２】
チップ（８）の背面にチップ（８）の圧入時に受け溝（１１）の上刃（６）側の鋸板（１）を嵌合して収容する差込溝（８ｂ）を形成し、すくい面（３）と直交する断面をＨ形断面としてなる請求項１に記載のチップソー。
【請求項３】
側面視ですくい面（３）に沿う直線状となる突起部（１２）の先端側の表面部分の厚みをチップ（８）のすくい面（３）側の差込溝（８ａ）の深さ以下に形成し、当該厚み部分をチップ（８）の刃先からチップ（８）の全高さの１／２以上の高さで有効切削範囲（Ｅ）として設けた請求項１又は２に記載のチップソー。
【請求項４】
差込溝（８ａ），（８ａ）内の互に隣接する交差方向の内面の交差部を円弧状のアール面に形成してなる請求項１〜３のいずれかに記載のチップソー
【請求項５】
すくい面（３）側の差込溝（８ａ）の先端部の内周壁を、先端側に向って両側壁より順次傾斜する傾斜面に形成してなる請求項１〜３のいずれかに記載のチップソー
【請求項６】
傾斜面が内周壁の先端側を頂点とする円弧状に形成された請求項５に記載のチップソー。
【発明の詳細な説明】
【技術分野】
【０００１】
この発明は主として歯部先端に切削刃となるチップを装着したチップソーに関する。
【背景技術】
【０００２】
従来、帯鋸等のチップソーのチップを着脱交換可能にするために、帯鋸の歯部の下刃側に受け溝を形成し、この受け溝内にチップを圧入嵌合して固着したチップソーは特許文献１及び特許文献２に示すように公知である。
【先行技術文献】
【特許文献】
【０００３】
【特許文献１】特許第４０８７８３８号公報
【特許文献２】特許第４１４８７３２号公報
【発明の概要】
【発明が解決しようとする課題】
【０００４】
上記特許文献１のものはチップのすくい面側と背面側に係合溝（差込溝）が形成されているため、切削時のチップに片荷重や捩り方向の負荷がかかった際のチップの耐久性や固定力は高められる。しかしチップのすくい面に鋸板の歯部の一部がチップのすくい面の１／２以上の高さまで突出しているため、チップすくい面の外周端（エッジ）による切削作動前にすくい面より突出した鋸板の歯部が切削材に当接するために、切削抵抗が大きくなるという欠点がある。
【０００５】
さらに、上記突出した歯部はチップのすくい面によって歯底方向に案内されて排出されるべき切屑の排出を妨げるために、結果として切削抵抗を大きくする欠点がある。
【０００６】
また、これらの切削抵抗はチップに対する切削負荷を大きくするために、チップの破損や切削反力によるチップの抜け出しを招くという問題がある。
【０００７】
さらにチップの背面やすくい面に角溝状の係合溝を形成すると、切削作動中にチップの刃先やすくい面が材木の節目等の硬度差のある部分に当接した時のように、チップに対して片荷重が掛かって捩り方向の応力が生じると、後述するように係合溝の先端側のコーナー部に応力集中（最大応力）が生じ、この部分で亀裂を生じてチップが破損するという問題がある。このことは、係合溝を背面とすくい面の両側に設けた場合は特に顕著である。
【０００８】
一方、特許文献２の技術では、チップのすくい面の刃先側の２／３以上が突起物のない平坦な面になっており、残り１／３の基端部側は切屑の排出をスムースに行えるように滑らかなカーブになって鋸板の歯部の歯底側のカーブに連続しているために、切削時にすくい面からの突出部によるチップに対する切削抵抗や切削の排出抵抗（屑詰り）は生じ難い。
【０００９】
しかし、特許文献２のチップソーでは、鋸板の受け溝に対してチップの背面側の差込溝のみで幅方向の固定（嵌合）をしているため、チップに対する片荷重の負荷や捩り方向の負荷に対して耐久性が乏しいほか、被切削材の材質や切削速度や送り速度が高速になると切削反力によりチップが抜け出す欠点がある。
【課題を解決するための手段】
【００１０】
上記課題を解決するための本発明のチップソーは、第１に鋸板１に形成された歯部２に鋸板１の背側に向う受け溝１１を形成し、該受け溝１１に切削刃となるチップ８を圧入嵌合して着脱可能に固定したチップソーにおいて、上記チップ８のすくい面３には差込端側が開放され刃先４に至らない途中で刃先４側のすくい面３を残して閉じられる差込溝８ａを形成し、上記受け溝１１の下刃側より刃先４方向に突出しチップ圧入時に上記差込溝８ａ内に嵌合する突起部１２を形成し、上記突起部１２の先端をすくい面３から突出しない厚み又は形状とするとともに、該先端から隣接歯部２間の歯底面７に至る表面が側面視ですくい面３に沿った直線状の面１２ｂと、該直線状の面１２ｂ及び歯底面７に連続する滑らかな傾斜面１２ａとからなり、切削時の切屑を排出案内する案内面となることを特徴としている。
【００１１】
第２に、チップ８の背面にチップ８の圧入時に受け溝１１の上刃６側の鋸板１を嵌合して収容する差込溝８ｂを形成し、すくい面３と直交する断面をＨ形断面としてなることを特徴としている。
【００１２】
第３に、側面視ですくい面３に沿う直線状となる突起部１２の先端側の表面部分の厚みをチップ８のすくい面３側の差込溝８ａの深さ以下に形成し、当該厚み部分をチップ８の刃先からチップ８の全高さの１／２以上の高さで有効切削範囲Ｅとして設けたことを特徴としている。
【００１３】
第４に、差込溝８ａ，８ａ内の互に隣接する交差方向の内面の交差部を円弧状のアール面に形成してなることを特徴としている。
【００１４】
第５に、すくい面３側の差込溝８ａの先端部の内周壁を、先端側に向って両側壁より順次傾斜する傾斜面に形成してなることを特徴としている。
【００１５】
第６に、傾斜面が内周壁の先端側を頂点とする円弧状に形成されたことを特徴としている。
【発明の効果】
【００１６】
以上のように構成される本発明のチップソーは、以下のような効果を生じる。
（１）チップの下刃面（すくい面）が刃先側を残して歯底側に向って開放される差込溝を形成し、この差込溝に受け溝の下刃側に設けた突起部を刃先部近くまで嵌合できるので、チップのすくい面側と背面側の両側からの固定力と刃先（抜け出し）方向への固定力が高まり、高速切削時においてもチップの抜け出しが防止できるほか、チップに対する片荷重の負荷や捩り方向の負荷に対しても耐久性がある。
また、突起部の先端はチップのすくい面から突出せず、切削を排出する案内面がすくい面に沿った直線状の面と、この直線状の面及び歯底面に連続する滑らかな傾斜面とで形成されるので、切削時の切削抵抗も少なく切屑の歯底側への排出もスムースで、切屑詰りによる切削抵抗も少ない。その結果、切削時のチップの抜け出しも防止できる。
【００１７】
（２）チップのすくい面側と背面側の両方に差込溝を設け、チップの切削方向断面をＨ形断面にすることにより、チップは切込み方向の前後の２本の差込溝で鋸板に嵌合されるので、上記固定力や耐久性はさらに高くなる。
【００１８】
（３）チップのすくい面側の差込溝に嵌合される突起部の側面視直線状の案内面は、刃先部側から歯底側に向う下部位置までチップのすくい面から突出しないので、この部分でチップの有効な切削範囲が確保でき、切削（切込）性能が向上するとともに高速切削においても切屑の排出もよりスムースになり、切削抵抗も少なく、切削反力による切削時のチップの抜け出しも防止できる。また上記有効な切削範囲をチップの全高さの１／２以上に設けることにより、切削性能が高められ且つ切屑の排出をよりスムースにする利点がある。
【００１９】
（４）突起部の先端側の表面の案内面となる直線状部分は、チップのすくい面からは突出せず、あるいは突出してもわずかであるため、チップのすくい面の先端側の研摩を希望する者にとっても突起部がチップの研摩を妨げることはなく、且つ相当量の研摩可能範囲が得られる利点がある。
【００２０】
（５）差込溝内の互に隣接する交差方向の内面の交差部をアール面に形成することにより、捩り方向の負荷により応力集中が生じた際も、強度維持ができるため、チップの亀裂や破損が生じない。
【００２１】
（６）すくい面側の差込溝の先端内周壁を先端側に向って順次傾斜する傾斜面に形成し、又はさらにこの傾斜面を先端側を頂点とする円弧状に形成することにより、この部分の強度が増大して最大主応力（応力集中）が生じた際のチップの亀裂や破損が防止できる。
【図面の簡単な説明】
【００２２】
【図１】本発明のチップソーの実施例を示す鋸歯の全体図である。
【図２】本発明に使用するチップの全体斜視図である。
【図３】（Ａ）〜（Ｃ）は同じくチップの拡大断面図、拡大平面図及び拡大端面図である。
【図４】従来の応力集中（最大主応力発生）位置を示す斜視図である。
【図５】図１〜３に示すチップの応力集中位置を示す斜視図である。
【図６】（Ａ），（Ｂ）は共に異なる実施例のチップの応力集中位置を示す斜視図である。
【発明を実施するための形態】
【００２３】
図１〜図３は本発明の１実施例を示し、図１は帯鋸に適用した場合の歯部へのチップの嵌合状態を示しており、鋸板１には１．２ｍｍ程度の板厚のものが使用されている。歯側には鋸歯を形成する多数の歯部２が、切削側の下刃（すくい面）３と刃先４及び刃先４を介した背面となる上刃６とによって構成されている。
【００２４】
隣接する歯部２，２間には、上記先行する上刃６の下端と後続する下刃３との間で鋸板１の背側に向って円弧状に湾曲する谷形の歯底７が連続して形成され、上記歯部２の先端には切削刃となるチップ８が着脱可能に圧入嵌合されて固定されている。
【００２５】
チップ８は図示するようにこの例では側面視平面視共に四角形に形成され、側面視では刃先角θ（θ１〜θ２）が４０°〜５０°（望ましくは４５°〜５０°）を有する刃先４を有し、上記刃先角θはチップ８及び歯部２の下刃面（すくい面）３と上刃面６とで形成されている。
【００２６】
チップ８は側面視において、基端部側から先端側に向って厚みを増して背面９側が登り傾斜を形成するように傾斜しており、先端側で前記上刃面６と交差している。そして上記すくい面３の基端側の約２／３程度の範囲（刃先４側を残した範囲）に差込溝８ａが、背面９の全長にわたる差込溝８ｂがそれぞれ角溝状に形成され、チップ８は超硬合金、ハイスピードスチール、その他の材料でその端面視で中央に差込壁８ｃを残したＨ形断面に形成されている。
【００２７】
またチップ８の成形寸法は、この例では全長６．４ｍｍ，上下最大厚み２．７ｍｍ，基端部の厚み２．３ｍｍ，同左右幅２．５ｍｍ程度であり、切削又は焼結成形したものが用いられ、差込溝８ａ，８ｂの溝幅１．２ｍｍ，溝深さがそれぞれ０．４ｍｍ，０．８ｍｍ，差込壁８ｃの厚み１．１ｍｍ程度に成形されている。
【００２８】
他方、上記チップ８の形状に対応して、鋸板１の歯部２側には、上記チップ８の差込壁８ｃをその基端部側から差込んで圧入嵌合する受け溝１１が形成されており、該受け溝１１の下刃面３側には上記チップ差込時に、下刃面３側の差込溝８ａの先端の最深部まで嵌合する突起部１２が突設されている。この時上記突起部１２の先端側の切削方向の厚みは、上記下刃側の差込溝８ａの深さと同等かそれ以下に形成され、切削時に突起部１２の表面が、すくい面３の表面より突出しない寸法になっていることが望ましい。但し、切削性能や切屑排出性能を妨げない範囲ですくい面３より僅かに突出する程度は許容できる。
【００２９】
上記のような構造により、チップ８は鋸板１の歯部２に圧入嵌合して取付けられ、切削刃面側と背面側の差込溝８ａ，８ｂに受け溝１１部分の鋸板１が共に嵌合し、しかも前後方向及び左右方向で固定されるため、切削時の衝撃やその反動によってチップ８が抜け出して外れるという問題が防止される。
【００３０】
また、チップ８の切削性能としては、チップのすくい面３の表面が平坦面である限り有効且つスムースな切削作用を行い、その切削面から突起物が大きく突出した部分は、切屑の排出が妨げられるために切削送り時に有効な切削範囲として機能しない。即ち、図示する例ではチップ８の基端部側において、そのすくい面３より突起部１２が突出した部分より歯底に向う部分はチップの有効な切削範囲とならず、これより刃先４に向う長さの範囲Ｅが有効切削範囲となる。
【００３１】
ちなみに図１，図３（Ａ）に示すように本実施例においては、チップ８のすくい面３の望ましい有効範囲である全長の１／２を越える約３／４近い部分が有効切削範囲Ｅとして確保され、歯部全体の切削性能が極めて高いものとなる。
【００３２】
さらに本発明のチップは、着脱交換を可能にすることにより、鋸板全体を持運んで研摩する煩わしさを解消するものではあるが、ユーザーにはこの着脱交換可能チップを装着状態で研摩して再利用する者も少なくない。
【００３３】
このようなユーザーにはチップの刃先側の切削面を研摩して提供することになるが、発明者等の知見によれば、この時の研摩が可能な限度は突起部１２の先端が残される限度と考えており、図３（Ａ）におけるＦ１を当初の切削面のラインとすれば、研摩が可能な限度は、突起部１２の先端が残るラインＦ２まで切削面が後退するまでである。換言すれば少なくともＦ１からＦ２に至るまでは、当初の切削性能を維持しながら研摩が可能である。
【００３４】
さらに上記チップ８の切削面３又は切削面３と同一高さ又はこれより突出しない突起部１２の側面視直線状に表れる面１２ｂと、該直線状の面１２ｂ及び歯底面７と連続する部分は、互に凹凸がなく滑らかに連続する曲線又は直線状に形成された傾斜面１２ａとは切削時の切屑を歯底７に向って排出案内する案内面を形成し、切削時の切屑の排出を容易に行わせる構造となっている。
【００３５】
図４〜６はチップに対し、捩り方向の負荷が作用した際に従来のチップと本発明のチップの応力集中（最大主応力発生）位置を示すチップの斜視図である。例えば節部と通常の木目部の境界部のように材木の内部に硬度差がある部分の切削時には、チップに対して片荷重が掛り、チップに捩り方向の負荷が作用する。
【００３６】
発明者等はチップソー用のチップに対する差込溝の形成位置や形状が、チップに対する片荷重発生による応力集中位置や強度にどのような影響を与えるかにつき、数値解析（シミュレーション）ソフト（「ＡＮＳＹＳ」・・・Ｒ１５．０）を用いて解析したので以下その結果につき、図４〜６に基いて説明する。尚、下記チップはいずれも本発明と同一材料で同一サイズのものを前提としている。
【００３７】
図４は角溝状の差込溝を背面側にのみ設けたものを、図５は同じく背面側とすくい面側両方に設けた本発明の第１実施例（図１〜３）のもので、すくい面側の差込溝８ａの先端面が両側壁と直角に交差してコーナーを形成したものを、さらに図６は第２実施例を示し且つ差込溝８ａの先端が半円形の円弧状に形成されたものをそれぞれ示している。
【００３８】
尚、各チップに対する突起部１２は、いずれも先端部が９０°に交差する角形のものを使用することを前提としている。
【００３９】
シミュレーション結果によれば図４のものでは応力集中が、背面側の差込溝８ｂの先端の底面と側壁内面の交差部Ｓ１に生じ、図５のものでは先端面と側壁の交差部コーナーＳ２に生じている。
【００４０】
これに対し、差込溝８ａの先端を半円形に形成したものでは、溝底面と両側壁の直線状の交差部コーナーが終了する先端位置Ｓ３と、背面側の差込溝８ｂの底面と側壁の交差する先端位置Ｓ４に生じることが判明した。
【００４１】
そして同時にそれぞれの最大主応力の発生量の対比は、Ｓ１：Ｓ２：Ｓ３，Ｓ４で約１：１．３６：０．８５となり、Ｓ２では差込溝をすくい面と背面の両側に設けたことにより、背面側にのみ設けた図４のＳ１より強度低下を招いている。これに対し、図６に示すチップでは両側に差込溝を設けたにもかかわらず、片側に設けた図４のものより高い耐久性を備えていることが明らかである。
【００４２】
これは図６に示すチップの差込溝８ａの先端周壁が円弧状に形成され、先端面と両側壁内面との交差方向の面の境界が直線による角度の交差部コーナーを形成しないためと理解される。したがってこの強度アップは、隣接面同士をできるだけ鈍角な傾斜面の接続によっても得られるものと解される。さらに隣接する交差方向の面が交わる交差部をすべてアールに形成することによっても実現できるものと解される。
【符号の説明】
【００４３】
１  鋸板
２  歯部
３  下刃（面），すくい面
４  刃先
６  上刃（面）
７  歯底（面）
８  チップ
８ａ，８ｂ  差込溝
８ｃ  差込壁
９  背面
１１  受け溝
１２  突起部
１２ａ  傾斜面（案内面）
１２ｂ  直線状の面（案内面）
Ｅ  有効切削範囲
θ（θ１，θ２）  刃先角
【図１】
2015217475.tif 000003
【図２】
2015217475.tif 000004
【図３】
2015217475.tif 000005
【図４】
2015217475.tif 000006
【図５】
2015217475.tif 000007
【図６】
2015217475.tif 000008
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
鋸板（１）に形成された歯部（２）に鋸板（１）の背側に向う受け溝（１１）を形成し、該受け溝（１１）に切削刃となるチップ（８）を圧入嵌合して着脱可能に固定したチップソーにおいて、上記チップ（８）の平坦面であるすくい面（３）には差込端側が開放され刃先（４）に至らない途中で刃先（４）側のすくい面（３）を残して閉じられる差込溝（８ａ）を形成し、上記受け溝（１１）の下刃側より刃先（４）方向に突出しチップ圧入時に上記差込溝（８ａ）内に嵌合する突起部（１２）を形成し、上記突起部（１２）の先端から隣接歯部（２）間の歯底面（７）に至る表面を側面視ですくい面（３）に沿った直線状の面（１２ｂ）と、該直線状の面（１２ｂ）及び歯底面（７）に連続する滑らかな傾斜面（１２ａ）とからなる切削時の切屑を排出案内する案内面とし、側面視で表面がすくい面（３）に沿う直線状となる突起部（１２）の先端側の部分の厚みをチップ（８）のすくい面（３）側の差込溝（８ａ）の深さ以下に形成したチップソー。
【請求項２】
チップ（８）の背面にチップ（８）の圧入時に受け溝（１１）の上刃（６）側の鋸板（１）を嵌合して収容する差込溝（８ｂ）を形成し、すくい面（３）と直交する断面をＨ形断面としてなる請求項１に記載のチップソー。
【請求項３】
側面視ですくい面（３）に沿う直線状となる突起部（１２）の先端側の表面部分の厚みをチップ（８）のすくい面（３）側の差込溝（８ａ）の深さ以下に形成し、当該厚み部分をチップ（８）の刃先からチップ（８）の全高さの１／２以上の高さで有効切削範囲（Ｅ）として設けた請求項１又は２に記載のチップソー。
【請求項４】
差込溝（８ａ），（８ｂ）内の互に隣接する溝底面と側壁内面との交差部を円弧状のアール面に形成してなる請求項１〜３のいずれかに記載のチップソー
【請求項５】
すくい面（３）側の差込溝（８ａ）の先端部の内周壁を、先端側に向って両側壁より順次傾斜する傾斜面に形成してなる請求項１〜３のいずれかに記載のチップソー
【請求項６】
傾斜面が内周壁の先端側を頂点とする円弧状に形成された請求項５に記載のチップソー。
【手続補正２】
【補正対象書類名】明細書
【補正対象項目名】００１０
【補正方法】変更
【補正の内容】
【００１０】
上記課題を解決するための本発明のチップソーは、第１に鋸板１に形成された歯部２に鋸板１の背側に向う受け溝１１を形成し、該受け溝１１に切削刃となるチップ８を圧入嵌合して着脱可能に固定したチップソーにおいて、上記チップ８の平坦面であるすくい面３には差込端側が開放され刃先４に至らない途中で刃先４側のすくい面３を残して閉じられる差込溝８ａを形成し、上記受け溝１１の下刃側より刃先４方向に突出しチップ圧入時に上記差込溝８ａ内に嵌合する突起部１２を形成し、上記突起部１２の先端から隣接歯部２間の歯底面７に至る表面を側面視ですくい面３に沿った直線状の面１２ｂと、該直線状の面１２ｂ及び歯底面７に連続する滑らかな傾斜面１２ａとからなる切削時の切屑を排出案内する案内面とし、側面視で表面がすくい面３に沿う直線状となる突起部１２の先端側の部分の厚みをチップ８のすくい面３側の差込溝８ａの深さ以下に形成したことを特徴としている。
【手続補正３】
【補正対象書類名】明細書
【補正対象項目名】００１３
【補正方法】変更
【補正の内容】
【００１３】
第４に、差込溝８ａ，８ｂ内の互に隣接する溝底面と側壁内面との交差部を円弧状のアール面に形成してなることを特徴としている。
【手続補正４】
【補正対象書類名】明細書
【補正対象項目名】００１９
【補正方法】変更
【補正の内容】
【００１９】
（４）突起部の先端側の表面の案内面となる直線状部分は、チップのすくい面からは突出せず、チップのすくい面の先端側の研摩を希望する者にとっても突起部がチップの研摩を妨げることはなく、且つ相当量の研摩可能範囲が得られる利点がある。